(57)【要約】【課題】  グランドパターンの端辺幅が狭い場合でも、高性能化を実現可能なアンテナ装置を提供すること。【解決手段】  基板本体２と、グランドパターンＧＮＤと、アンテナ占有領域ＡＯＡと、第１エレメント３及び第２エレメント４とを備え、第１エレメントが、基板本体の一辺２ａに向けて延在する第１延在部Ｅ１と、前記一辺に向けて延在する第２延在部Ｅ２と、第２延在部の先端から前記一辺に沿って延在する第３延在部Ｅ３と、グランドパターンに向けて延在する第４延在部Ｅ４とを有し、第２エレメントが、第５延在部Ｅ５を有し、グランドパターンが、Ｌ字状の第１切り欠き部Ｇ１を有し、第４延在部が、第１切り欠き部を構成する２辺にそれぞれ対向する位置まで延在し、第１切り欠き部を構成する２辺のうち第４延在部に沿った辺Ｇ１ａが、第４延在部の先端に対向した辺Ｇ１ｂよりも長く設定されている。【選択図】図１
2019022146.tif 000002
【特許請求の範囲】
【請求項１】
絶縁性の基板本体と、前記基板本体に金属箔でパターン形成されたグランドパターンと、前記グランドパターンが形成されていない領域として前記基板本体上の前記グランドパターンと前記基板本体の少なくとも一辺との間に設けられたアンテナ占有領域と、前記アンテナ占有領域内に金属箔でパターン形成された第１エレメント及び第２エレメントとを備え、
前記第１エレメントが、前記グランドパターンに近接した基端側に給電点が設けられていると共に前記グランドパターンに対向し前記アンテナ占有領域が接する前記基板本体の一辺に向けて延在する第１延在部と、
前記第１延在部の先端側に接続され前記一辺に向けて延在する第２延在部と、
前記第２延在部の先端から前記アンテナ占有領域が接する前記一辺に沿って延在する第３延在部と、
前記第３延在部の先端から前記グランドパターンに向けて延在する第４延在部とを有し、
前記第２エレメントが、前記第１延在部の途中から前記第３延在部と反対方向に向けて延在した第５延在部を有し、
前記グランドパターンが、前記第４延在部に対向した部分にＬ字状の第１切り欠き部を有し、
前記第４延在部が、前記第１切り欠き部を構成する２辺にそれぞれ対向する位置まで延在し、
前記第１切り欠き部を構成する２辺のうち前記第４延在部に沿った辺が、前記第４延在部の先端に対向した辺よりも長く設定されていることを特徴とするアンテナ装置。
【請求項２】
請求項１に記載のアンテナ装置において、
前記第２エレメントが、前記第５延在部の先端から前記グランドパターンに向けて延在する第６延在部をさらに有し、
前記グランドパターンが、前記第６延在部に対向した部分にＬ字状の第２切り欠き部を有し、
前記第６延在部が、前記第２切り欠き部を構成する２辺にそれぞれ対向する位置まで延在し、
前記第２切り欠き部を構成する２辺のうち前記第６延在部に沿った辺が、前記第６延在部の先端に対向した辺よりも長く設定されていることを特徴とするアンテナ装置。
【請求項３】
請求項１又は２に記載のアンテナ装置において、
前記第２延在部が、前記一辺に向かう方向に延在するだけでなく前記第３延在部の延在方向とは逆方向にも延在した幅広部とされていることを特徴とするアンテナ装置。
【請求項４】
請求項１から３のいずれか一項に記載のアンテナ装置において、
前記第１エレメントが、前記第１延在部に一端が接続され前記給電点から離間した位置で他端が前記グランドパターンに接続された第７延在部を有し、
前記第７延在部に受動素子が接続されていることを特徴とするアンテナ装置。
【請求項５】
請求項１から４のいずれか一項に記載のアンテナ装置において、
前記第３延在部の途中に誘電体アンテナのアンテナ素子が接続されていることを特徴とするアンテナ装置。
【請求項６】
請求項３に記載のアンテナ装置において、
前記第２延在部が、前記第１延在部及び前記第３延在部とそれぞれ受動素子を介して接続されていることを特徴とするアンテナ装置。
【発明の詳細な説明】
【技術分野】
【０００１】
本発明は、複数共振化が可能なアンテナ装置に関する。
【背景技術】
【０００２】
近年、通信機器において、複共振化した各共振周波数のフレキシブルな調整が可能で、用途や機器毎に応じたアンテナ性能を安価かつ容易に確保できるアンテナ装置が開発されている（例えば、特許文献１）。これらのアンテナ装置は、基板本体の表面にそれぞれ金属箔でパターン形成されたグランドパターン及び複数のエレメントを備えているので、各エレメント間やグランドパターンとの間の各浮遊容量とを効果的に利用することで、複共振化させるものである。
【先行技術文献】
【特許文献】
【０００３】
【特許文献１】特開２０１７−９２９７８号公報
【発明の概要】
【発明が解決しようとする課題】
【０００４】
上記従来の技術においても、以下の課題が残されている。
上記従来のアンテナ装置では、グランドパターンと、グランドパターンに隣接したアンテナ占有領域内でグランドパターンの端辺に沿って延在するアンテナエレメントとの間に生じる浮遊容量を利用して最適化を行っている。しかしながら、小型化等に伴い、グランドパターンの端辺幅が狭く制限があり、十分な浮遊容量を得ることができない場合があった。
【０００５】
本発明は、前述の課題に鑑みてなされたもので、グランドパターンの端辺幅が狭い場合でも、高性能化を実現可能なアンテナ装置を提供することを目的とする。
【課題を解決するための手段】
【０００６】
本発明は、前記課題を解決するために以下の構成を採用した。すなわち、第１の発明に係るアンテナ装置は、絶縁性の基板本体と、前記基板本体に金属箔でパターン形成されたグランドパターンと、前記グランドパターンが形成されていない領域として前記基板本体上の前記グランドパターンと前記基板本体の少なくとも一辺との間に設けられたアンテナ占有領域と、前記アンテナ占有領域内に金属箔でパターン形成された第１エレメント及び第２エレメントとを備え、前記第１エレメントが、前記グランドパターンに近接した基端側に給電点が設けられていると共に前記グランドパターンに対向し前記アンテナ占有領域が接する前記基板本体の一辺に向けて延在する第１延在部と、前記第１延在部の先端側に接続され前記一辺に向けて延在する第２延在部と、前記第２延在部の先端から前記アンテナ占有領域が接する前記一辺に沿って延在する第３延在部と、前記第３延在部の先端から前記グランドパターンに向けて延在する第４延在部とを有し、前記第２エレメントが、前記第１延在部の途中から前記第３延在部と反対方向に向けて延在した第５延在部を有し、前記グランドパターンが、前記第４延在部に対向した部分にＬ字状の第１切り欠き部を有し、前記第４延在部が、前記第１切り欠き部を構成する２辺にそれぞれ対向する位置まで延在し、前記第１切り欠き部を構成する２辺のうち前記第４延在部に沿った辺が、前記第４延在部の先端に対向した辺よりも長く設定されていることを特徴とする。
【０００７】
このアンテナ装置では、グランドパターンが、第４延在部に対向した部分にＬ字状の第１切り欠き部を有し、第４延在部が、第１切り欠き部を構成する２辺にそれぞれ対向する位置まで延在しているので、第４延在部と第１切り欠き部の２辺との間で複合的に浮遊容量が発生し、第１エレメントを主として生じる共振周波数の調整及び小型化を行うことができる。特に、第１切り欠き部を構成する２辺のうち第４延在部に沿った辺が、第４延在部の先端に対向した辺よりも長く設定されているので、第４延在部の先端部を深く第１切り欠き部内に延在させることが可能になり、浮遊容量を効果的に発生させることができる。したがって、グランドパターンの端辺幅が狭く制限がある場合でも、第１切り欠き部内に延在した第４延在部によって十分な浮遊容量を得ることができる。
【０００８】
第２の発明に係るアンテナ装置は、第１の発明において、前記第２エレメントが、前記第５延在部の先端から前記グランドパターンに向けて延在する第６延在部をさらに有し、前記グランドパターンが、前記第６延在部に対向した部分にＬ字状の第２切り欠き部を有し、前記第６延在部が、前記第２切り欠き部を構成する２辺にそれぞれ対向する位置まで延在し、前記第２切り欠き部を構成する２辺のうち前記第６延在部に沿った辺が、前記第６延在部の先端に対向した辺よりも長く設定されていることを特徴とする。
【０００９】
すなわち、このアンテナ装置では、グランドパターンが、第６延在部に対向した部分にＬ字状の第２切り欠き部を有し、第６延在部が、第２切り欠き部を構成する２辺にそれぞれ対向する位置まで延在し、第２切り欠き部を構成する２辺のうち第６延在部に沿った辺が、第６延在部の先端に対向した辺よりも長く設定されているので、第６延在部と第２切り欠き部の２辺との間で複合的に浮遊容量が発生し、第２エレメントを主として生じる共振周波数の調整及び小型化を行うことができる。
【００１０】
第３の発明に係るアンテナ装置は、第１又は第２の発明において、前記第２延在部が、前記一辺に向かう方向に延在するだけでなく前記第３延在部の延在方向とは逆方向にも延在した幅広部とされていることを特徴とする。
すなわち、このアンテナ装置では、第２延在部が、前記一辺に向かう方向に延在するだけでなく第３延在部の延在方向とは逆方向にも延在した幅広部とされているので、第２延在部でも別の共振周波数が発生し、さらに複共振化することができる。
【００１１】
第４の発明に係るアンテナ装置は、第１から第３の発明のいずれかにおいて、前記第１エレメントが、前記第１延在部に一端が接続され前記給電点から離間した位置で他端が前記グランドパターンに接続された第７延在部を有し、前記第７延在部に受動素子が接続されていることを特徴とする。
すなわち、このアンテナ装置では、第７延在部に受動素子が接続されているので、この受動素子の選択に応じて全体の最終的なインピーダンス調整が可能になる。
【００１２】
第５の発明に係るアンテナ装置は、第１から第４の発明のいずれかにおいて、前記第３延在部の途中に誘電体アンテナのアンテナ素子が接続されていることを特徴とする。
すなわち、このアンテナ装置では、第３延在部の途中に誘電体アンテナのアンテナ素子が接続されているので、所望の共振周波数に自己共振しないローディング素子のアンテナ素子によってエレメント長の短縮化及び高インピーダンス化と、浮遊容量の増大とが可能になり、複共振化の調整が容易になると共に小型化とアンテナ特性の向上とを図ることができる。
【００１３】
第６の発明に係るアンテナ装置は、第３の発明のいずれかにおいて、前記第２延在部が、前記第１延在部及び前記第３延在部とそれぞれ受動素子を介して接続されていることを特徴とする。
すなわち、このアンテナ装置では、第２延在部が、第１延在部及び第３延在部とそれぞれ受動素子を介して接続されているので、受動素子の選択によって、共振周波数をフレキシブルに調整可能であり、設計条件に応じた複共振化が可能なアンテナ装置を得ることができる。このように、アンテナ構成上、各共振周波数をフレキシブルに調整できるため、共振周波数の入れ替えが可能になり、用途や機器に応じて受動素子等による調整箇所を変更可能になっている。
【発明の効果】
【００１４】
本発明によれば、以下の効果を奏する。
本発明のアンテナ装置によれば、グランドパターンが、第４延在部に対向した部分にＬ字状の第１切り欠き部を有し、第４延在部が、第１切り欠き部を構成する２辺にそれぞれ対向する位置まで延在しているので、第４延在部と第１切り欠き部の２辺との間で複合的に浮遊容量が発生し、第１エレメントを主として生じる共振周波数の調整及び小型化を行うことができる。特に、第１切り欠き部を構成する２辺のうち第４延在部に沿った辺が、第４延在部の先端に対向した辺よりも長く設定されているので、第４延在部の先端部を深く第１切り欠き部内に延在させることが可能になり、浮遊容量を効果的に発生させることができる。
すなわち、アンテナエレメントに沿ったグランドパターンの端辺幅が狭い場合でも、第１切り欠き部内に延在した第４延在部によって十分な浮遊容量を得ることができる。
したがって、本発明のアンテナ装置は、多様な用途や機器に対応した複共振化が容易に可能になると共に、省スペース化を図ることができる。
【図面の簡単な説明】
【００１５】
【図１】本発明に係るアンテナ装置の一実施形態において、各エレメントの位置関係を示す平面図である。
【図２】本実施形態において、各共振周波数に寄与する主な領域を示す配線図である。
【図３】本実施形態において、アンテナ装置で生じる浮遊容量を示す配線図である。
【図４】本実施形態において、アンテナ素子を示す斜視図（ａ）、平面図（ｂ）、正面図（ｃ）及び底面図（ｄ）である。
【図５】本実施形態において、ＶＳＷＲ特性（電圧定在波比）を示すグラフである。
【発明を実施するための形態】
【００１６】
以下、本発明に係るアンテナ装置の一実施形態を、図１から図５を参照しながら説明する。
【００１７】
本実施形態におけるアンテナ装置１は、図１及び図２に示すように、絶縁性の基板本体２と、基板本体２に銅箔等の金属箔でパターン形成されたグランドパターンＧＮＤと、グランドパターンＧＮＤが形成されていない領域として基板本体２上のグランドパターンＧＮＤと基板本体２の少なくとも一辺２ａとの間に設けられたアンテナ占有領域ＡＯＡと、アンテナ占有領域ＡＯＡ内に銅箔等の金属箔でパターン形成された第１エレメント３及び第２エレメント４とを備えている。
【００１８】
上記第１エレメント３は、グランドパターンＧＮＤに近接した基端側に給電点ＦＰが設けられていると共にグランドパターンＧＮＤに対向しアンテナ占有領域ＡＯＡが接する基板本体２の一辺２ａに向けて延在する第１延在部Ｅ１と、第１延在部Ｅ１の先端側に接続され前記一辺２ａに向けて延在する第２延在部Ｅ２と、第２延在部Ｅ２の先端からアンテナ占有領域ＡＯＡが接する前記一辺２ａに沿って延在する第３延在部Ｅ３と、第３延在部Ｅ３の先端からグランドパターンＧＮＤに向けて延在する第４延在部Ｅ４とを有している。
【００１９】
上記第２エレメント４は、第１延在部Ｅ１の途中から第３延在部Ｅ３と反対方向に向けて延在した第５延在部Ｅ５と、第５延在部Ｅ５の先端からグランドパターンＧＮＤに向けて延在する第６延在部Ｅ６とを有している。
上記グランドパターンＧＮＤは、第４延在部Ｅ４に対向した部分にＬ字状の第１切り欠き部Ｇ１と、第６延在部Ｅ６に対向した部分にＬ字状の第２切り欠き部Ｇ２とを有している。すなわち、グランドパターンＧＮＤは、アンテナ占有領域ＡＯＡ側の両角部がそれぞれＬ字状に切り欠かれており、基板本体２の両側辺の一方２ｂ側に第１切り欠き部Ｇ１を有し、基板本体２の両側辺の他方２ｃ側に第２切り欠き部Ｇ２を有している。
【００２０】
上記第４延在部Ｅ４の先端部は、第１切り欠き部Ｇ１を構成する２辺にそれぞれ対向する位置まで延在している。すなわち、第１エレメント３の開放端は、第１切り欠き部Ｇ１内に配されている。
また、第１切り欠き部Ｇ１を構成する２辺のうち第４延在部Ｅ４に沿った辺Ｇ１ａが、第４延在部Ｅ４の先端に対向した辺Ｇ１ｂよりも長く設定されている。
【００２１】
さらに、上記第６延在部Ｅ６の先端部は、第２切り欠き部Ｇ２を構成する２辺にそれぞれ対向する位置まで延在している。すなわち、第２エレメント４の開放端は、第２切り欠き部Ｇ２内に配されている。
また、第２切り欠き部Ｇ２を構成する２辺のうち第６延在部Ｅ６に沿った辺Ｇ２ａが、第６延在部Ｅ６の先端に対向した辺Ｇ２ｂよりも長く設定されている。
【００２２】
上記第２延在部Ｅ２は、前記一辺２ａに向かう方向に延在するだけでなく第３延在部Ｅ３の延在方向とは逆方向にも延在した幅広部とされている。この第２延在部Ｅ２は、前記一辺２ａに向かう方向よりも第３延在部Ｅ３の延在方向とは逆方向に長く延在している。すなわち、第２延在部Ｅ２は、開放端が第３延在部Ｅ３とは逆方向に向いた幅広なエレメントである。
上記第１エレメント３は、第１延在部Ｅ１に一端が接続され給電点ＦＰから離間した位置で他端がグランドパターンＧＮＤに接続された第７延在部Ｅ７をさらに有している。この第７延在部Ｅ７は、給電点ＦＰから基板本体２の側辺の一方２ｂ側に離間してグランドパターンＧＮＤに接続されている。
【００２３】
上記第３延在部Ｅ３の途中には、誘電体アンテナのアンテナ素子ＡＴが接続されている。
上記第２延在部Ｅ２は、第１延在部Ｅ１及び第３延在部Ｅ３とそれぞれ受動素子を介して接続されている。すなわち、第２延在部Ｅ２は、第１延在部Ｅ１と第１受動素子Ｐ１を介して接続され、第３延在部Ｅ３と第２受動素子Ｐ２を介して接続されている。
上記第５延在部Ｅ５は、第３受動素子Ｐ３を介して第１延在部Ｅ１に接続されている。
上記第７延在部Ｅ７には、第４受動素子Ｐ４が接続されている。本実施形態では、第７延在部Ｅ７の基端に第４受動素子Ｐ４が接続されている。
【００２４】
上記基板本体２は、長方形状の一般的なプリント基板であって、本実施形態では、ガラスエポキシ樹脂等からなるプリント基板を採用している。例えば、基板本体２は厚さ０．８ｍｍで、１１６ｍｍ×３９ｍｍのプリント基板である。
なお、グランドパターンＧＮＤの領域には、回路部品等を実装しても構わない。
上記各受動素子は、例えばインダクタ、コンデンサ、抵抗又はジャンパー線が採用される。
【００２５】
上記給電点ＦＰは、同軸ケーブル等の給電手段を介して別のメイン基板等に設けられた高周波回路（図示略）の給電点に接続される。この給電手段としては、同軸ケーブル、レセプタクル等のコネクタ、接点が板バネ形状を有する接続構造、接点がピンプローブ形状またはピン形状を有する接続構造、ハンダ付け用のランドを用いた接続構造等の種々の構造が採用可能である。
例えば、給電手段として同軸ケーブルを採用する場合、給電点ＦＰ近傍のグランドパターンＧＮＤに同軸ケーブルのグランド線が接続されると共に、同軸ケーブルの芯線が給電点ＦＰに接続される。
【００２６】
上記アンテナ素子ＡＴは、所望の共振周波数に自己共振しないローディング素子であって、例えば図４に示すように、セラミックス等の誘電体１２１の表面にＡｇ等の導体パターン１２２が形成されたチップアンテナである。
このアンテナ素子ＡＴは、共振周波数等の設定に応じて、その長さ、幅、導体パターン等が異なる素子を選択しても構わない。また、所望の周波数によっては、アンテナ素子ＡＴに使用している誘電体１２１を、磁性体、若しくは誘電体と磁性体とを混合した複合材料としても構わない。
【００２７】
本実施形態のアンテナ装置１では、以下のように浮遊容量が発生する。
すなわち、図３に示すように、第４延在部Ｅ４と第１切り欠き部Ｇ１の辺Ｇ１ｂとの間の浮遊容量Ｃａと、第４延在部Ｅ４と第１切り欠き部Ｇ１の辺Ｇ１ａとの間の浮遊容量Ｃｂと、第４延在部Ｅ４と第７延在部Ｅ７との間の浮遊容量Ｃｃと、アンテナ素子ＡＴを含む第３延在部Ｅ３とグランドパターンＧＮＤとの間の浮遊容量Ｃｄと、第３延在部Ｅ３の基端側と第１延在部Ｅ１との間の浮遊容量Ｃｅと、第２延在部Ｅ２と第５延在部Ｅ５との間の浮遊容量Ｃｆと、第５延在部Ｅ５とグランドパターンＧＮＤとの間の浮遊容量Ｃｇと、第６延在部Ｅ６と第２切り欠き部Ｇ２の辺Ｇ２ａとの間の浮遊容量Ｃｈと、第６延在部Ｅ６と第２切り欠き部Ｇ２の辺Ｇ２ｂとの間の浮遊容量Ｃｉとが発生可能である。
【００２８】
次に、本実施形態のアンテナ装置における各共振周波数について、図５を参照して説明する。
【００２９】
本実施形態のアンテナ装置１では、図５に示すように、周波数の低い方から、第１の共振周波数ｆ１、第２の共振周波数ｆ２及び第３の共振周波数ｆ３の順に３つの周波数帯に複共振化される。
なお、この測定においては、各受動素子は以下のものを用いた。
第１受動素子Ｐ１：Ｌ＝６．８ｎＨのインダクタ
第２受動素子Ｐ２：Ｌ＝２．２ｎＨのインダクタ
第３受動素子Ｐ３：Ｌ＝４．７ｎＨのインダクタ
第４受動素子Ｐ４：Ｌ＝８．２ｎＨのインダクタ
【００３０】
「第１の共振周波数ｆ１について」
上記第１の共振周波数ｆ１の周波数は、アンテナ素子ＡＴ及び第２延在部Ｅ２を含む第１エレメント３により設定および調整することができる。
また、第１の共振周波数ｆ１のインピーダンス調整は、浮遊容量Ｃａ，Ｃｂ，Ｃｃ，Ｃｄ，Ｃｅ，Ｃｆ，Ｃｇの各浮遊容量の設定で行うことができる。
さらに、最終的な周波数調整は、第１受動素子Ｐ１及び第２受動素子Ｐ２の選択によりフレキシブルに行うことが可能である。
このように第１の共振周波数ｆ１は、主に図２中の一点鎖線Ａ１の部分で調整される。
【００３１】
「第２の共振周波数ｆ２について」
上記第２の共振周波数ｆ２の周波数は、第２延在部Ｅ２により設定および調整することができる。
また、第２の共振周波数ｆ２のインピーダンス調整は、浮遊容量Ｃｆ，Ｃｇの各浮遊容量の設定で行うことができる。
さらに、最終的な周波数調整は、第１受動素子Ｐ１の選択によりフレキシブルに行うことが可能である。
このように第２の共振周波数ｆ２は、主に図２中の二点鎖線Ａ２の部分で調整される。
【００３２】
「第３の共振周波数ｆ３について」
上記第３の共振周波数ｆ３の周波数は、第２エレメント４により設定および調整することができる。
また、第３の共振周波数ｆ３のインピーダンス調整は、浮遊容量Ｃｆ，Ｃｇ，Ｃｈ，Ｃｉの各浮遊容量の設定で行うことができる。
さらに、最終的な周波数調整は、第３受動素子Ｐ３の選択によりフレキシブルに行うことが可能である。
このように第３の共振周波数ｆ３は、主に図２中の破線Ａ３の部分で調整される。
【００３３】
なお、各共振周波数ｆ１，ｆ２及びｆ３における最終的なインピーダンス調整は、第４受動素子Ｐ４の選択によりグランドパターンＧＮＤ側に流れる高周波電流の流れをコントロールすることで、フレキシブルに行うことが可能である。
【００３４】
このように本実施形態のアンテナ装置１では、グランドパターンＧＮＤが、第４延在部Ｅ４に対向した部分にＬ字状の第１切り欠き部Ｇ１を有し、第４延在部Ｅ４が、第１切り欠き部Ｇ１を構成する２辺にそれぞれ対向する位置まで延在しているので、第４延在部部E4と第１切り欠き部Ｇ１の２辺との間で複合的に浮遊容量が発生し、第１エレメント３を主として生じる共振周波数の調整及び小型化を行うことができる。
【００３５】
特に、第１切り欠き部Ｇ１を構成する２辺のうち第４延在部Ｅ４に沿った辺Ｇ１ａが、第４延在部Ｅ４の先端に対向した辺Ｇ１ｂよりも長く設定されているので、第４延在部Ｅ４の先端部を深く第１切り欠き部Ｇ１内に延在させることが可能になり、浮遊容量を効果的に発生させることができる。したがって、グランドパターンＧＮＤの端辺幅が狭く制限がある場合でも、第１切り欠き部Ｇ１内に延在した第４延在部Ｅ４によって十分な浮遊容量を得ることができる。
【００３６】
さらに、グランドパターンＧＮＤが、第６延在部Ｅ６に対向した部分にＬ字状の第２切り欠き部Ｇ２を有し、第６延在部Ｅ６が、第２切り欠き部Ｇ２を構成する２辺にそれぞれ対向する位置まで延在し、第２切り欠き部Ｇ２を構成する２辺のうち第６延在部Ｅ６に沿った辺Ｇ２ａが、第６延在部Ｅ６の先端に対向した辺Ｇ２ｂよりも長く設定されているので、第６延在部Ｅ６と第２切り欠き部Ｇ２の２辺との間で複合的に浮遊容量が発生し、第２エレメント４を主として生じる共振周波数の調整及び小型化を行うことができる。
このように本実施形態では、アンテナエレメントに沿ったグランドパターンの端辺幅が狭い場合でも、第１切り欠き部Ｇ１内に延在した第４延在部Ｅ４と、第２切り欠き部Ｇ２内に延在した第６延在部Ｅ６とによって十分な浮遊容量を得ることができる。
【００３７】
また、第２延在部Ｅ２が、前記一辺２ａに向かう方向に延在するだけでなく第３延在部Ｅ３の延在方向とは逆方向にも延在した幅広部幅広部とされているので、第２延在部Ｅ２でも別の共振周波数が発生し、さらに複共振化することができる。
また、第７延在部Ｅ７に受動素子が接続されているので、この受動素子の選択に応じて全体の最終的なインピーダンス調整が可能になる。
【００３８】
また、第３延在部Ｅ３の途中に誘電体アンテナのアンテナ素子ＡＴが接続されているので、所望の共振周波数に自己共振しないローディング素子のアンテナ素子ＡＴによってエレメント長の短縮化及び高インピーダンス化と、浮遊容量の増大とが可能になり、複共振化の調整が容易になると共に小型化とアンテナ特性の向上とを図ることができる。
さらに、第２延在部Ｅ２が、第１延在部Ｅ１及び第３延在部Ｅ３とそれぞれ受動素子を介して接続されているので、受動素子の選択によって、共振周波数をフレキシブルに調整可能であり、設計条件に応じた複共振化が可能なアンテナ装置を得ることができる。このように、アンテナ構成上、各共振周波数をフレキシブルに調整できるため、共振周波数の入れ替えが可能になり、用途や機器に応じて受動素子等による調整箇所を変更可能になっている。
【００３９】
なお、本発明は上記実施形態に限定されるものではなく、本発明の趣旨を逸脱しない範囲において種々の変更を加えることができる。
【００４０】
例えば、第２延在部による共振周波数の発生が不要な場合は、第２延在部を第３延在部の延在方向と反対側にも延在させた幅広部とせずに、第２延在部と第１延在部とを一体にして基板本体の前記一辺側に向けた方向のみに延在させても構わない。
また、上記実施形態では、第３延在部にアンテナ素子を設けているが、第４延在部、第５延在部又は第６延在部にアンテナ素子を設けてエレメントの短縮化を行い、装置全体の小型化を図っても構わない。
【００４１】
また、上述したようにアンテナ素子を接続してエレメントの一部とすることが好ましいが、アンテナ素子を接続せずに、銅箔等の金属箔のみで延在した第３延在部でも構わない。この際、高インピーダンス化するために、第３延在部の少なくとも一部を他の部分よりも幅狭の細いパターンにしたり、ジグザグに折り返しながら全体として一定方向に延在するミアンダパターンとしたりすることが好ましい。
さらに、基板サイズに余裕がある場合には、上記エレメントの一部を線状若しくは板状の金属を折り返した形状のパターンに置き換えても構わない。また、同一の基板本体の表裏面に対してスルーホールを用いて、螺旋状などの形状に旋回させたパターンにしても構わない。
【符号の説明】
【００４２】
１…アンテナ装置、２…基板本体、２ａ…基板本体の一辺、２ｂ…基板本体の一方の側辺、２ｃ…基板本体の他方の側辺、ＡＯＡ…アンテナ占有領域、ＡＴ…アンテナ素子、Ｅ１…第１延在部、Ｅ２…第２延在部、Ｅ３…第３延在部、Ｅ４…第４延在部、Ｅ５…第５延在部、Ｅ６…第６延在部、Ｅ７…第７延在部、ＧＮＤ…グランドパターン、Ｇ１…第１切り欠き部、Ｇ１ａ…第１切り欠き部を構成する２辺の一方、Ｇ１ｂ…第１切り欠き部を構成する２辺の他方、Ｇ２…第２切り欠き部、Ｇ２ａ…第２切り欠き部を構成する２辺の一方、Ｇ２ｂ…第２切り欠き部を構成する２辺の他方、Ｐ１…第１受動素子、Ｐ２…第２受動素子、Ｐ３…第３受動素子、Ｐ４…第４受動素子、ＦＰ…給電点
【図１】
2019022146.tif 000003
【図２】
2019022146.tif 000004
【図３】
2019022146.tif 000005
【図４】
2019022146.tif 000006
【図５】
2019022146.tif 000007